(57)【要約】【課題】プッシャー型遊技装置において、景品が貯留された景品貯留部に繋がれて固定テーブル上に載置されている状態で、固定テーブルから落下しやすそうな印象を与え、あるいは固定テーブル上を移動しやすそうな印象を与えることのできる遊技装置用錘体を提供する。【解決手段】プッシャー型遊技装置の景品払出装置の係止部材に繋がれて固定テーブル上に載置され、押し出されて固定テーブルから落下することにより、落下による重力が係止部材に伝達されて係止部材の係止を解き、景品払出装置に貯留されていた景品を落下させる遊技装置用錘体１６０であって、一端に固定テーブルへの接触面１６４を有し、他端側に先細形状部１６５を有する円柱状の錘ベース部１６２と、錘ベース部１６２の先細形状部１６５より軸方向に延出し、延出端に係止部材への連結部１６６を設けた細形軸部１６３とを有する。【選択図】図５
2008067749.tif 000002
【特許請求の範囲】
【請求項１】
プッシャーゲーム装置の固定テーブル上に自立させ、押し出されて前記固定テーブルから落下することにより、景品を払い出すための遊技装置用錘体であって、
重心が一端部側に偏った棒状に形成され、
前記一端部は突起部を有し、
少なくとも前記突起部と前記一端部の外周辺の一部とで自立するように前記一端部を形成したことを特徴とする遊技装置用錘体。
【請求項２】
請求項１において、
前記一端部の外周辺は、円弧状部及び直線部を有することを特徴とする遊技装置用錘体。
【請求項３】
請求項２において、
前記一端部の外周辺は、複数の直線部を有し、延期直線部はそれぞれの長さが異なることを特徴とする遊技装置用錘体。
【請求項４】
請求項１〜３のいずれかにおいて、
両端部の面積がそれぞれ異なる棒状に形成され、
前記一端部は面積が大きく、他端部は面積が小さく形成されていることを特徴とする遊技装置用錘体。
【請求項５】
請求項１〜４のいずれかにおいて、
前記一端部側と他端部側とが異なる材質で形成されていることを特徴とする遊技装置用錘体。
【請求項６】
所定の景品貯留部と、
前記景品貯留部の係止部に繋がれ、固定テーブル上に載置された請求項１〜５のいずれかに記載の遊技装置用錘体と、
を備えることを特徴とするプッシャー型遊技装置。
【発明の詳細な説明】
【技術分野】
【０００１】
本発明は、プッシャー型遊技装置に用いられる遊技装置用錘体及びそれを用いたプッシャー型遊技装置に関する。
【背景技術】
【０００２】
一般に、プッシャー型の景品払出ゲーム機と称される遊技装置が知られている。
【０００３】
このプッシャー型遊技装置は、回転するターンテーブルに配置された景品を掬い上げるショベルと、固定テーブルと、固定テーブル上を景品落下口に近づきあるいは遠ざかるように移動するスライドテーブルとを備えている。
【０００４】
プレーヤが始動指示を入力すると、ショベルが自動的にターンテーブルから景品を掬い上げ、次いでプレーヤが落下指示を入力すると、ショベルは掬い上げた景品を固定テーブルの上に落下させる。
【０００５】
固定テーブルに落下された景品は、順次スライドテーブルによって押され、やがて固定テーブルから落下する。
【０００６】
落下した景品が上手く景品落下口に入れば、プレーヤはその景品を獲得できる構成となっている。
【０００７】
こうしたプッシャー型の景品払出ゲーム機は、ルールが分かり易く、誰でもが楽しめるゲームとして、特に女性や子供に人気がある。
【０００８】
プッシャー型の景品払出ゲーム機の中には、景品落下口近傍の上方に傾き可能に設けられた景品貯留部と、景品貯留部に連結されて固定テーブルに載置される錘部材を設けたものが知られている。
【０００９】
具体的には、景品を貯留して景品落下口上方で吊されたバケツの口と、固定テーブル上の錘部材とを紐で結ぶといった構成である。
【００１０】
この場合、錘部材が固定テーブル上の景品と同様にして押されて落下すると、錘部材と連結している貯留部が錘部材の落下によって傾けられ、貯留していた景品を景品落下口に落下する仕組みとなっている。
【００１１】
このようにボーナス用の景品を別途貯留し、特定の条件が揃うと払い出す構成とすることで、一度に大量の景品を獲得できるというプレーヤの射幸心を向上させ、ゲームをより面白くすることができる（特許文献１参照）。
【特許文献１】特許第３３７２５０８号公報
【発明の開示】
【発明が解決しようとする課題】
【００１２】
前述のような錘部材の固定テーブルからの落下により景品貯留部に貯留された景品を払い出す構成では、錘部材は、固定テーブル上の景品の玉突き状態により徐々に前方に押し出されて落下することとなる。
【００１３】
しかし、例えば、固定テーブルに載置されている景品が錘部材に比較して見た目に小型かつ軽量と思われる場合には、プレーヤに、錘部材を景品で押して移動させることは困難であり、錘部材を落下させ難い印象を与える可能性があった。
【００１４】
本発明の目的は、プッシャー型遊技装置において、景品が貯留された景品貯留部に繋がれて固定テーブル上に載置されている状態で、固定テーブルから落下しやすそうな印象を与え、あるいは固定テーブル上を移動しやすそうな印象を与えることのできる遊技装置用錘体及びそれを用いたプッシャー型遊技装置を提供することにある。
【課題を解決するための手段】
【００１５】
前記目的を達成するため、本発明の遊技装置用錘体は、プッシャーゲーム装置の固定テーブル上に自立させ、押し出されて前記固定テーブルから落下することにより、景品を払い出すための遊技装置用錘体であって、
重心が一端部側に偏った棒状に形成され、
前記一端部は突起部を有し、
少なくとも前記突起部と前記一端部の外周辺の一部とで自立するように前記一端部を形成したことを特徴とする。
【００１６】
本発明によれば、一端部側を固定テーブル上に載置して突出部と一端部の外周辺の一部とで自立させた状態とすることで、棒状の錘体がすぐにでも倒れそうな状態で自立した状態となり、いかにも頼りなげな感じを与え、プレーヤに錘体を倒して固定テーブルから落下させ、景品貯留部の景品を獲得しようとする挑戦意欲を抱かせることができ、ゲームへの興味を高めることができる。
【００１７】
特に、突起部の存在により固定テーブルと接触面が面接触しないため、ゆれ動く状態を演出し、いかにもすぐ倒れそうな印象を与え、プレーヤの挑戦意欲をより一層高めるようにすることができる。
【００１８】
本発明においては、前記一端部の外周辺は、円弧状部及び直線部を有するようにすることができる。
【００１９】
このような構成とすることにより、直線部が固定テーブルに接触した状態では、他の円弧状部が固定テーブルに接触している場合に比べて倒れにくく、落下もしにくい状態とすることができる。
【００２０】
この場合、前記一端部の外周辺は、複数の直線部を有し、延期直線部はそれぞれの長さが異なるようにすることができる。
【００２１】
このような構成とすることにより、同じ直線部でも長さの相違により、例えば長さが長い場合には短い場合に比して倒れにくく、落ちにくい。
【００２２】
したがって、直線部の長さの相違によって、倒れにくさ、落ちにくさの度合いを複数段に分けて変化させることができる。
【００２３】
本発明においては、両端部の面積がそれぞれ異なる棒状に形成され、
前記一端部は面積が大きく、他端部は面積が小さく形成されるようにすることができる。
【００２４】
このような構成とすることにより、固定テーブル上に載置した際に下部側に位置する一端部が面積が大きいのである程度安定した状態となり、棒状のものであっても倒れにくい状態とすることができる。
【００２５】
本発明においては、前記一端部側と他端部側とが異なる材質で形成されるようにすることができる。
【００２６】
このような構成とすることにより、例えば、一端部側を重量の重い材質で形成し、他端部側を軽い材質で形成することにより、安定した状態を得ることができる。
【００２７】
本発明のプッシャー型遊技装置は、所定の景品貯留部と、
前記景品貯留部の係止部に繋がれ、固定テーブル上に載置された請求項１〜５のいずれかに記載の遊技装置用錘体と、
を備えることを特徴とする。
【００２８】
本発明によれば、前述の各遊技装置用錘体のいずれかの作用、効果を有するプッシャー型遊技装置を実現することができる。
【発明を実施するための最良の形態】
【００２９】
以下、本発明の実施の形態について、図面を参照して説明する。
【００３０】
図１〜図６は、本発明の一実施の形態にかかる遊技装置用錘体を用いたプッシャー型遊技装置を示す図である。
【００３１】
図１は、プッシャー型遊技装置の外観斜視図で、図２は、図１のＡ−Ａ線に沿う断面図である。
【００３２】
このプッシャー型遊技装置１は、主に、多数の景品Ｐを配置するターンテーブル１０と、ターンテーブル１０上に配置された景品Ｐを掬い上げる掬い上げ装置２０と、掬い上げ装置２０の操作スイッチ２２と、掬い上げ装置２０により掬い上げた景品Ｐを載置し、押し出して景品落下口６１に落下させるプッシャーテーブル部３０と、所定の条件が達成されたときにボーナス用の景品Ｐを払い出すＪＰ（ジャックポット）払出装置４０と、プッシャー型遊技装置１を統合的に制御する制御装置５０とを備えて構成される。
【００３３】
プッシャー型遊技装置１の筐体側面上部は透明なアクリル板で形成された透明カバー６５で覆われ、プッシャー型遊技装置１内部を視認可能に構成されている。
【００３４】
また、プッシャー型遊技装置１は、平面視六角形の形状をなしており、略六角形の各辺でプレーヤが遊ぶためのステーションＳＴが６つ備えられている。
【００３５】
ステーションＳＴ毎に、掬い上げ装置２０と、操作スイッチ２２と、プッシャーテーブル部３０と、ＪＰ払出装置４０と、景品落下口６１に連通して景品Ｐを取り出すための景品払出口６２とが備えられており、６人のプレーヤが各ステーションＳＴにおいて同時にプレイを楽しむことができるようになっている。
【００３６】
ここで、以下の説明における方向を次のように定める。
【００３７】
すなわち、上下左右方向を図１に向かって上下左右の方向とし、奥行き方向は各ステーションＳＴからプッシャー型遊技装置１の中心に向かって前後（手前／奥）とする。
【００３８】
すなわち、各ステーションＳＴでプレイするプレーヤの視点に立った上下左右及び前後の方向とする。
【００３９】
ターンテーブル１０は、図３に示すように、上向きに開口する環状溝を形成して有し、溝部分の底上面に多数の景品Ｐを配置するように構成されている。
【００４０】
そして、ターンテーブル１０は、プッシャー型遊技装置１の略中心を軸中心として、プッシャー型遊技装置１内を一定方向にゆっくりと回転するようになっている。
【００４１】
掬い上げ装置２０は、２本のショベルアームと、景品Ｐを掬い上げ可能な曲面を有するショベルとを有して構成され、２本のショベルアームとショベルとによって所定のリンク機構が形成されている。
【００４２】
そして、操作スイッチ２２からの操作信号に応じてショベルアームを駆動し、ショベルでターンテーブル１０上の景品を掬い上げ、掬い上げた景品Ｐをプッシャーテーブル部３０上に落下させるといった一連の掬い上げ動作を、制御装置５０による制御にしたがって実行するようになっている。
【００４３】
プッシャーテーブル部３０は、固定テーブル３１と、スライドテーブル３２とを有する。
【００４４】
固定テーブル３１は、ターンテーブル１０の上方において装置中央から外方に向けて延出する平板であり、その前端部は景品落下口６１の上方に達している。
【００４５】
スライドテーブル３２は、固定テーブル３１の上面に沿って前後方向に往復スライド移動する平板である。
【００４６】
スライドテーブル３２の往復スライド運動により、スライドテーブル３２の前面に押されて固定テーブル３１上に載置されている景品Ｐが移動する。
【００４７】
固定テーブル３１上に載置されている景品Ｐの密度が高いと、景品Ｐが玉突き状態となって固定テーブル３１の前端部から景品Ｐが景品落下口６１に落下し、景品払出口６２から景品Ｐが払い出される。
【００４８】
一方、固定テーブル３１上に載置されている景品Ｐの密度が低いと、固定テーブル３１上の隙間を埋めるように景品Ｐが移動することとなる。
【００４９】
ＪＰ払出装置４０は、ボーナス用の景品Ｐが貯留された景品貯留部である景品ボックス４１と、景品ボックス４１を一端部で支持するボックスアーム４４とを有して構成されている。
【００５０】
ＪＰ払出装置４０は、ＪＰ（ジャックポット）用の景品Ｐが予め収納されたＪＰボックス４１と、ＪＰボックス４１を一端部で支持する支持アーム４２とを有して構成されている。ＪＰ払出装置４０は、支持アーム４２が他端部を軸中心として回転することで、ＪＰボックス４１の位置を変更可能となっている。ＪＰ払出装置４０は、通常は、支持アーム４２がほぼ起立してＪＰボックス４１が装置中央に位置している状態にある。そして、所定のＪＰ条件が達成されると、支持アーム４２が手前側（プレーヤ側）に傾斜し、ＪＰボックス４１内に収納されている景品Ｐが落下するようになっている。また、支持アーム４２の回転は制御装置５０によって制御され、支持アーム４２を起立した状態と傾斜した状態との間の任意の位置で止めることもできる。
【００５１】
図３は、図２のＢ−Ｂ矢視要部断面図であり、景品払出ロ６１の上方に景品払出装置１００を配置した場合を示している。
【００５２】
同図に示すように、本実施形態では、各ステーションＳＴに景品払出装置１００が備えられている。
【００５３】
景品払出装置１００は、固定テーブル３１から遊技装置用錘体１６０が落下すると、載置板１３０上に予め貯留されていた景品Ｐを払い出す装置である。
【００５４】
図４は、景品払出装置１００の斜視図である。
【００５５】
この景品払出装置１００は、枠体１１０と、横棒１２０と、載置板１３０と、係止部材１４０と、遊技装置用錘体１６０とを備えている。
【００５６】
枠体１１０は、平面視略ｈ字形状の１対の平板部材であり、上端郡１１１を奥側にして対向させて、下端部１１２が景品落下口６１の左右の内側面それぞれに固定されて設置されている。
【００５７】
また、枠体１１０の上端部１１１には、細角柱である横棒１２０が、長手方向が水平且つ左右方向に沿った方向で架け渡されて固定されている。
【００５８】
そして、横棒１２０の中央付近には、２つの係止部材１４０が軸支されている。また、枠体１１０の中段部１１３の上面には、載置板１３０が軸支されている。
【００５９】
載置板１３０は、透明なアクリルで形成された平板であり、軸方向が水平且つ奥行き方向（前後方向）に沿った軸１３１で、一端部寄りの位置で枠体１１０の中段部１１３の上面に回動自在に軸支されている。
【００６０】
すなわち、載置板１３０ａは、他端部が枠体１１０ａの中段部１１３の上面に奥行き方向を軸方向とする軸１３１ａにより軸支され、載置板１３０ｂは、他端部が枠体１１０ｂの中段部１１３の上面に奥行き方向を軸方向とする軸１３１ｂにより軸支されている。
【００６１】
また、載置板１３０は、他端部が係止部材１４０に掛け置かれて係止されることで、略水平に保たれている。即ち、載置板１３０ａが係止部材１４０ａに係止され、載置板１３０ｂが係止部材１４０ｂに係止される。
【００６２】
そして、略水平の載置板１３０の上面に、ボーナス用の景品Ｐが載置される。
【００６３】
また、載置板１３０は、係止部材１４０により略水平に係止された上方で他端部同士が多少の距離をおいて隣接するような大きさに形成されている。
【００６４】
これにより、載置板１３０の上面に載置された景品Ｐが載置板１３０の間から景品落下口６１に落下することが防止されるとともに、軸１３１を軸中心とした載置板１３０の回動が妨げられない。
【００６５】
更に、載置板１３０には、他端部の奥側の位置に、係止部材１４０と遊技装置用錘体１６０とを繋ぐ吊下げ紐１６１との干渉を避けるために、吊下げ紐１６１が遊通する切欠き１３２が形成されている。
【００６６】
係止部材１４０は、載置板１３０を係止する部材であり、横棒１２０の中央付近に回動自在に軸支されている。
【００６７】
この係止部材１４０は、平板の両端部が同一方向に屈曲されて成る断面コの字型形状の部材である。
【００６８】
係止部材１４０の上片１４３には、吊下げ紐１６１が結び付けられるための紐通し孔が形成されている。
【００６９】
下片１４５には、上片１４３の紐通し孔に対向する側に、載置板１３０の切欠き１３２に略一致した、吊下げ紐１６１が遊通する切欠きが形成されている。
【００７０】
係止部材１４０は、上片１４３を上に、下片１４５を下にした向きで、コの字型の中央部内面であって上屈曲部寄りの位置で、蝶番１５０によって回動自在に横棒１２０の背面に固定されている。
【００７１】
蝶番１５０は、軸方向が水平且つ左右方向に沿った方向で取り付けられており、係止部材１４０は、手前側（或いは奥行き方向）に回動自在となっている。
【００７２】
そして、上片１４３の紐通し孔に吊下げ紐１６１の一端が結び付けられている。
【００７３】
吊下げ紐１６１は、載置板１３０の切欠き１３２及び係止部材１４０の下片１４５の切欠きを遊通し、固定テーブル３１上の遊技装置用錘体１６０に他端が結ばれている。
【００７４】
また、下片１４５の上面に載置板１３０の他端部が掛け置かれ  これを係止している。      
【００７５】
ここで、係止部材１４０は、横棒１２０に固定された状態で下片１４５の位置の高さが載置板１３０の軸１３１の位置の高さにほぼ等しく形成されており、これにより載置板１３０を略水平に係止する。
【００７６】
そして、景品Ｐに押される等して遊技装置用錘体１６０が固定テーブル３１から落下すると、遊技装置用錘体１６０の重量により係止部材１４０の上片１４３が下方に引っ張られ、係止部材１４０が手前方向に回動する。
【００７７】
つまり、下片１４５が上方に移動するように回動し、下片１４５に掛け置かれていた載置板１３０の他端部が外れ、他端部が下方に向かう方向に載置板１３０が回動する。
【００７８】
これにより、略水平であった載置板１３０が略垂直となり、載置板１３０の上面に載置されていた景品Ｐが下方の景品落下口６１に向かって落下する。
【００７９】
遊技装置用錘体１６０は、プッシャー型遊技装置１の景品払出装置１００の係止部材１４０に繋がれて固定テーブル３１上に載置され、押し出されて固定テーブル３１から落下することにより、落下による重力が係止部材１４０に伝達されて係止部材１４０の係止を解き、景品払出装置１００に貯留されていた景品Ｐを落下させるようになっている。
【００８０】
この遊技装置用錘体１６０は、図５に示すように、一端部側の錘ベース部１６２と、他端部側の細形軸部１６３とを有する棒状のものとされている。
【００８１】
錘ベース部１６２は、円柱状のもので、一端に固定テーブル３１への接触面１６４を有し、他端側に先細形状部１６５を有する状態となっている。
【００８２】
細形軸部１６３は、錘ベース部１６２の先細形状部１６５より軸方向に延出し、延出端に係止部への連結部１６６を設けた状態となっている。
【００８３】
したがって、錘ベース部１６２の面積が大きく、細形軸部１６３の面積が小さい棒状のものとなっており、固定テーブル３１上に自立させた場合に安定した状態が得られるようになっている。
【００８４】
この細形軸部１６３は、錘ベース部１６２とは異なる材質で別体に形成され、ネジ部等で一体化されるようになっている。
【００８５】
例えば、錘ベース部１６２は鉄等の重い材質、細形軸部１６３はアルミニウム等の軽い材質で形成することにより、固定テーブル３１上に自立させた場合に安定した状態が得られるようになっている。
【００８６】
このような遊技装置用錘体１６０は、錘ベース部１６２の接触面１６４を固定テーブル３１上に載置させた状態で、細形軸部１６３が錘ベース部１６２より上方に突出して背の高い状態となるため、すぐにでも倒れそうな、いかにも頼りなげな感じを与え、プレーヤに錘体１６０を倒して固定テーブル３１から落下させ、景品払出装置１００の景品Ｐを獲得しようとする挑戦意欲を抱かせることができ、ゲームへの興味を高めることができる。
【００８７】
また、錘ベース部１６２の接触面１６４には、図６に示すように、略中央位置に突起部１６７が突出形成され、突起部１６７と接触面１６４の外周辺の一部とで自立しうるようになっており、この突起部１６７の存在により接触面１６４が面接触しないため、特に、細形軸部１６３がゆれ動く状態を演出し、いかにもすぐ倒れそうな印象を与え、プレーヤの挑戦意欲を高めるようにしている。
【００８８】
さらに、錘ベース部１６２の接触面１６４外周には、対向位置に直線部１６８、１６９が形成され、この直線部１６８、１６９が固定テーブル３１に接触した状態では、他の円弧部１７０が固定テーブル３１に接触している場合に比べて倒れにくく、落下もしにくい状態となるようにしている。
【００８９】
また、直線部１６８、１６９は、一方の直線部１６８がＬ１と長く、他方の直線部１６９がＬ２と短く形成されている。
【００９０】
なお、この直線部１６８、１６９は、錘ベース部１６２の側面を削り取って形成された状態となっている。
【００９１】
このように、同じ直線部１６８、１６９でも長さの相違により、例えば長さが長い場合には短い場合に比して倒れにくく、落ちにくい状態となり、したがって、直線部１６８、１６９の長さの相違によって、倒れにくさ、落ちにくさの度合いを複数段に分けて変化させることができるようにしている。。
【００９２】
さらに、錘ベース部１６２は中実として形成され、細形軸部１６３はパイプ状の中空に形成され、細形軸部１６３が、錘ベース部１６２よりも軽量に形成されている。
【００９３】
このように、固定テーブル３１上に遊技装置用錘体１６０を載置した際に下部側に位置する錘ベース部１６２が重く、上部側に位置する細形軸部１６３が軽いため、細長状のものであっても倒れにくい状態なるようにしている。
【００９４】
本発明は、前記実施の形態に限定されるものではなく、本発明の要旨の範囲内において種々の形態に変形可能である。
【００９５】
例えば、前記実施の形態では、景品払出装置の載置板を２枚で構成しているが、この例に限らず、１枚で構成することも可能である。
【００９６】
また、錘ベース部の接触面外周辺に形成した直線部は、対向位置２箇所に限らず、１箇所でも３箇所以上でもよく、その長さも同じにしてもよい。
【図面の簡単な説明】
【００９７】
【図１】本発明の一実施の形態にかかる遊技装置用錘体を用いたプッシャー型遊技装置の全体斜視図である。
【図２】図１のＡ−Ａ線に沿う断面図である。
【図３】図２のＢ−Ｂ線に沿う断面図である。
【図４】景品払出装置の斜視図である。
【図５】遊技装置用錘体の全体正面図である。
【図６】遊技装置用錘体における錘ベース部の接触面を示す底面図である。
【符号の説明】
【００９８】
１  プッシャー型遊技装置
１０  ターンテーブル
２０  掬い上げ装置
３１  固定テーブル
３２  スライドテーブル
６１  景品落下口
１６０  遊技装置用錘体
１６２  錘ベース部
１６３  細形軸部
１６４  接触面
１６５  先細形状部
１６６  連結部
１６７  突起部
１６８、１６９  直線部
【図１】
2008067749.tif 000003
【図２】
2008067749.tif 000004
【図３】
2008067749.tif 000005
【図４】
2008067749.tif 000006
【図５】
2008067749.tif 000007
【図６】
2008067749.tif 000008